(57)【要約】      （修正有）【課題】簡素な構成でありながら、第三者による不正認証をより確実に防ぐことができる、本人認証装置を提供する。【解決手段】本人認証装置１は、基準パスワードにおける、ワードの時系列的変化に対応した、利用者の唇の形状の時系列的変化を示す基準唇形状変化パターンと、唇と利用者の顔の特定部位との位置関係の時系列的変化を示す基準顔位置関係変化パターンと、を含む基準パターン情報を、予め記憶する記憶手段２と、発声パスワードを発声する利用者の顔を撮影し、撮影画像として出力する撮影手段と、撮影画像から、基準唇形状変化パターンに相当する発声パスワードについての発声唇形状変化パターンと、基準顔位置関係変化パターンに相当する発声パスワードについての発声顔位置関係変化パターンと、を含む発声パターン情報を生成し、基準パターン情報と発声パターン情報とを比較し、一致した場合に利用者が本人であると認証する認証手段４とを備える。【選択図】図１
2015169977.tif 000002
【特許請求の範囲】
【請求項１】
認証の基準となるパスワードである基準パスワードにおけるワードの時系列的変化に対応した、利用者の唇の形状の時系列的変化を示す基準唇形状変化パターンと、前記基準パスワードにおけるワードの時系列的変化に対応した、前記唇と前記利用者の顔の特定部位との位置関係の時系列的変化を示す基準顔位置関係変化パターンと、を含む基準パターン情報を、予め記憶する記憶手段と、
本人を認証するためのパスワードである発声パスワードを発声する利用者の顔を撮影し、撮影画像として出力する撮影手段と、
前記撮影画像から、前記基準唇形状変化パターンに相当する前記発声パスワードについての発声唇形状変化パターンと、前記基準顔位置関係変化パターンに相当する前記発声パスワードについての発声顔位置関係変化パターンと、を含む発声パターン情報を生成し、前記基準パターン情報と前記発声パターン情報とを比較し、前記基準唇形状変化パターンと前記発声唇形状変化パターンとが一致し且つ前記基準顔位置変化パターンと前記発声顔位置変化パターンとが一致した場合に前記利用者が本人であると認証する認証手段と
を備えることを特徴とする本人認証装置。
【請求項２】
前記特定部位との位置関係は、前記唇と前記唇以外の前記利用者の顔の特定部位との距離、および前記唇と複数の前記特定部位とで形成される領域の面積のうちの少なくとも一方であることを特徴とする請求項１記載の本人認証装置。
【請求項３】
認証の基準となるパスワードである基準パスワードにおけるワードの時系列的変化に対応した、利用者の唇の形状の時系列的変化を示す基準唇形状変化パターンと、前記基準パスワードにおけるワードの時系列的変化に対応した、前記唇と前記利用者の顔の特定部位との位置関係の時系列的変化を示す基準顔位置関係変化パターンと、を含む基準パターン情報を、予め記憶し、
本人を認証するためのパスワードである発声パスワードを発声する利用者の顔を撮影し、撮影画像として出力し、
前記撮影画像から、前記基準唇形状変化パターンに相当する前記発声パスワードについての発声唇形状変化パターンと、前記基準顔位置関係変化パターンに相当する前記発声パスワードについての発声顔位置関係変化パターンと、を含む発声パターン情報を生成し、
前記基準パターン情報と前記発声パターン情報とを比較し、
前記基準唇形状変化パターンと前記発声唇形状変化パターンとが一致し且つ前記基準顔位置変化パターンと前記発声顔位置変化パターンとが一致した場合に前記利用者が本人であると認証する
ことを特徴とする本人認証方法。
【請求項４】
本人認証装置のコンピュータに、
認証の基準となるパスワードである基準パスワードにおけるワードの時系列的変化に対応した、利用者の唇の形状の時系列的変化を示す基準唇形状変化パターンと、前記基準パスワードにおけるワードの時系列的変化に対応した、前記唇と前記利用者の顔の特定部位との位置関係の時系列的変化を示す基準顔位置関係変化パターンと、を含む基準パターン情報を、予め記憶する記憶処理と、
本人を認証するためのパスワードである発声パスワードを発声する利用者の顔を撮影し、撮影画像として出力する撮影処理と、
前記撮影画像から、前記基準唇形状変化パターンに相当する前記発声パスワードについての発声唇形状変化パターンと、前記基準顔位置関係変化パターンに相当する前記発声パスワードについての発声顔位置関係変化パターンと、を含む発声パターン情報を生成し、前記基準パターン情報と前記発声パターン情報とを比較し、前記基準唇形状変化パターンと前記発声唇形状変化パターンとが一致し且つ前記基準顔位置変化パターンと前記発声顔位置変化パターンとが一致した場合に前記利用者が本人であると認証する認証処理と
を実行させるための本人認証制御プログラム。
【請求項５】
利用者認証サーバと現金自動預払機とを備える自動取引システムであって、
利用者認証サーバは、
認証の基準となるパスワードである基準パスワードにおけるワードの時系列的変化に対応した、利用者の唇の形状の時系列的変化を示す基準唇形状変化パターンと、前記基準パスワードにおけるワードの時系列的変化に対応した、前記唇と前記利用者の顔の特定部位との位置関係の時系列的変化を示す基準顔位置関係変化パターンと、を含む基準パターン情報を、予め記憶する第１記憶手段を備え、
前記現金自動預払機は、
前記利用者認証サーバから受信した前記基準パターン情報を記憶する第２記憶手段と、
本人を認証するためのパスワードである発声パスワードを発声する利用者の顔を撮影し、撮影画像として出力する撮影手段と、
前記撮影画像から、前記基準唇形状変化パターンに相当する前記発声パスワードについての発声唇形状変化パターンと、前記基準顔位置関係変化パターンに相当する前記発声パスワードについての発声顔位置関係変化パターンと、を含む発声パターン情報を生成し、前記基準パターン情報と前記発声パターン情報とを比較し、前記基準唇形状変化パターンと前記発声唇形状変化パターンとが一致し且つ前記基準顔位置変化パターンと前記発声顔位置変化パターンとが一致した場合に前記利用者が本人であると認証する認証手段と
を備えることを特徴とする自動取引システム。
【発明の詳細な説明】
【技術分野】
【０００１】
本発明は、利用者が本人であるか否かを認証する本人認証装置、本人認証方法、本人認証プログラム、および自動取引システムに関する。
【背景技術】
【０００２】
利用者が本人であるかを認証し所定のサービスを提供する装置、たとえば、自動取引装置は、利用者によって入力されたパスワードが正しいか否かを判断することにより利用者認証（本人認証）を行っている。パスワード入力による利用者認証は、簡便である反面、スキミングやキャッシュカードの盗難により不正認証される危険性が高い。
【０００３】
そこで、近年、生体認証（たとえば、指紋認証、静脈認証、顔認証等）を採用する自動取引装置も増えている。生体認証は、生体の特徴にて本人を区別するものであるから盗難される危険性は低い。しかしながら、生体認証の場合も、可能性は低いが、理論上は、身体的特徴の採取による複製を用いれば不正認証可能である。また、指紋や静脈の状態を検出するためのデバイスは、一般的に高価である。すなわち、生体認証の場合、装置コストが肥大化するという別の問題を有している。
【０００４】
特許文献１には、所定の言葉を発している利用者の唇の部分をカメラにより撮影し、撮影画像から唇の形状の時間的変化を抽出し、この時間的変化と予め登録された画像パターンとを比較することにより使用者が発した言葉を文字に変換する技術が記載されている。
【先行技術文献】
【特許文献】
【０００５】
【特許文献１】特開２００７−０８７２９１号公報（ページＮｏ．４−５、図１）
【発明の概要】
【発明が解決しようとする課題】
【０００６】
特許文献１は、唇の動き（唇形状変化）のみに基づいて、使用者が発声した言葉を文字に変換している。しかしながら、唇の動きは、パスワードが判明している場合、その通りに発声すれば、全くの他人であってもその言葉が認識されてしまう（本人認証に用いた場合、他人を本人と誤認証してしまう）危険性がある。
【０００７】
本発明は上記課題を解決するためになされたものであり、簡素な構成でありながら、第三者による不正認証をより確実に防ぐことができる本人認証装置、本人認証方法、本人認証プログラム、および自動取引システムを提供することを目的とする。
【課題を解決するための手段】
【０００８】
本発明の本人認証装置は、認証の基準となるパスワードである基準パスワードにおけるワードの時系列的変化に対応した、利用者の唇の形状の時系列的変化を示す基準唇形状変化パターンと、前記基準パスワードにおけるワードの時系列的変化に対応した、前記唇と前記利用者の顔の特定部位との位置関係の時系列的変化を示す基準顔位置関係変化パターンと、を含む基準パターン情報を、予め記憶する記憶手段と、本人を認証するためのパスワードである発声パスワードを発声する利用者の顔を撮影し、撮影画像として出力する撮影手段と、前記撮影画像から、前記基準唇形状変化パターンに相当する前記発声パスワードについての発声唇形状変化パターンと、前記基準顔位置関係変化パターンに相当する前記発声パスワードについての発声顔位置関係変化パターンと、を含む発声パターン情報を生成し、前記基準パターン情報と前記発声パターン情報とを比較し、前記基準唇形状変化パターンと前記発声唇形状変化パターンとが一致し且つ前記基準顔位置変化パターンと前記発声顔位置変化パターンとが一致した場合に前記利用者が本人であると認証する認証手段と、を備える。
【０００９】
本発明の本人認証方法は、認証の基準となるパスワードである基準パスワードにおけるワードの時系列的変化に対応した、利用者の唇の形状の時系列的変化を示す基準唇形状変化パターンと、前記基準パスワードにおけるワードの時系列的変化に対応した、前記唇と前記利用者の顔の特定部位との位置関係の時系列的変化を示す基準顔位置関係変化パターンと、を含む基準パターン情報を、予め記憶し、本人を認証するためのパスワードである発声パスワードを発声する利用者の顔を撮影し、撮影画像として出力し、前記撮影画像から、前記基準唇形状変化パターンに相当する前記発声パスワードについての発声唇形状変化パターンと、前記基準顔位置関係変化パターンに相当する前記発声パスワードについての発声顔位置関係変化パターンと、を含む発声パターン情報を生成し、前記基準パターン情報と前記発声パターン情報とを比較し、前記基準唇形状変化パターンと前記発声唇形状変化パターンとが一致し且つ前記基準顔位置変化パターンと前記発声顔位置変化パターンとが一致した場合に前記利用者が本人であると認証することを特徴とする。
【００１０】
本発明の本人認証制御プログラムは、本人認証装置のコンピュータに、認証の基準となるパスワードである基準パスワードにおけるワードの時系列的変化に対応した、利用者の唇の形状の時系列的変化を示す基準唇形状変化パターンと、前記基準パスワードにおけるワードの時系列的変化に対応した、前記唇と前記利用者の顔の特定部位との位置関係の時系列的変化を示す基準顔位置関係変化パターンと、を含む基準パターン情報を、予め記憶する記憶処理と、本人を認証するためのパスワードである発声パスワードを発声する利用者の顔を撮影し、撮影画像として出力する撮影処理と、前記撮影画像から、前記基準唇形状変化パターンに相当する前記発声パスワードについての発声唇形状変化パターンと、前記基準顔位置関係変化パターンに相当する前記発声パスワードについての発声顔位置関係変化パターンと、を含む発声パターン情報を生成し、前記基準パターン情報と前記発声パターン情報とを比較し、前記基準唇形状変化パターンと前記発声唇形状変化パターンとが一致し且つ前記基準顔位置変化パターンと前記発声顔位置変化パターンとが一致した場合に前記利用者が本人であると認証する認証処理とを実行させるためのプログラムである。
【００１１】
本発明の自動取引システムは、利用者認証サーバと現金自動預払機とを備える自動取引システムであって、利用者認証サーバは、認証の基準となるパスワードである基準パスワードにおけるワードの時系列的変化に対応した、利用者の唇の形状の時系列的変化を示す基準唇形状変化パターンと、前記基準パスワードにおけるワードの時系列的変化に対応した、前記唇と前記利用者の顔の特定部位との位置関係の時系列的変化を示す基準顔位置関係変化パターンと、を含む基準パターン情報を、予め記憶する第１記憶手段を備え、前記現金自動預払機は、前記利用者認証サーバから受信した前記基準パターン情報を記憶する第２記憶手段と、本人を認証するためのパスワードである発声パスワードを発声する利用者の顔を撮影し、撮影画像として出力する撮影手段と、前記撮影画像から、前記基準唇形状変化パターンに相当する前記発声パスワードについての発声唇形状変化パターンと、前記基準顔位置関係変化パターンに相当する前記発声パスワードについての発声顔位置関係変化パターンと、を含む発声パターン情報を生成し、前記基準パターン情報と前記発声パターン情報とを比較し、前記基準唇形状変化パターンと前記発声唇形状変化パターンとが一致し且つ前記基準顔位置変化パターンと前記発声顔位置変化パターンとが一致した場合に前記利用者が本人であると認証する認証手段と、を備える。
【発明の効果】
【００１２】
簡素な構成でありながら、第三者による不正認証をより確実に防ぐことができる。
【図面の簡単な説明】
【００１３】
【図１】本発明の第１の実施形態に係る本人認証装置の構成例を示すブロック図である。
【図２】本発明の第２の実施形態に係る自動取引システムの構成例を示すブロック図である。
【図３】図２に示される現金自動預払機の動作例を説明するためのフローチャートである。
【図４】基準パターン情報のデータ構成例を示す図である。
【図５】基準唇形状および基準顔位置関係を説明するための図である。
【発明を実施するための形態】
【００１４】
［第１の実施形態］
図１は、本発明の第１の実施形態に係る本人認証装置１の構成例を示すブロック図である。
【００１５】
本人認証装置１は、記憶部２と、撮影部３と、認証部４と、を備える。
【００１６】
記憶部２は、基準パターン情報５を予め記憶する。基準パターン情報５は、認証の基準となるパスワードである基準パスワードにおけるワードの時系列的変化に対応した、利用者の唇の形状の時系列的変化を示す基準唇形状変化パターンと、基準パスワードにおけるワードの時系列的変化に対応した、唇と利用者の顔の特定部位との位置関係の時系列的変化を示す基準顔位置関係変化パターンと、を含む。
【００１７】
撮影部３は、本人を認証するためのパスワードである発声パスワードを発声する利用者の顔を撮影し、撮影画像として出力する。
【００１８】
認証部４は、撮影画像から、基準唇形状変化パターンに相当する発声パスワードについての発声唇形状変化パターンと、基準顔位置関係変化パターンに相当する発声パスワードについての発声顔位置関係変化パターンと、を含む発声パターン情報６を生成する。認証部４は、基準パターン情報５と発声パターン情報６とを比較し、基準唇形状変化パターンと発声唇形状変化パターンとが一致し且つ基準顔位置変化パターンと発声顔位置変化パターンとが一致した場合に利用者が本人であると認証する。
【００１９】
以上説明した第１の実施形態によれば、本人認証は、唇の動き（唇形状変化）だけでなく、顔の位置関係変化も考慮して判断される。唇の動きは、パスワードが判明している場合、その通りに発声すれば、全くの他人であっても利用者本人と誤認証されてしまう危険性がある。しかしながら、顔の位置関係は生体固有であるため、他人を本人と誤認証する可能性は極めて低い。
【００２０】
さらに、以上説明した第１の実施形態において、認証対象は、使用者の顔画像である。すなわち、撮影部３を一般的に流通している通常のカメラ（たとえば、監視カメラあるいはデジタルカメラ）とすることができる。従って、指紋や静脈等の状態を検出するためのデバイスのように特殊且つ高価なデバイスは不要である。
【００２１】
以上纏めると、第１の実施形態によれば、簡素な構成でありながら、第三者による不正認証をより確実に防ぐことができる。
【００２２】
なお、第１の実施形態に係る本人認証装置は、利用者が本人であるかを認証し、認証結果に応じた処理あるいはサービスを提供する装置全般に広く適用可能である。
［第２の実施形態］
図２は、本発明の第２の実施形態に係る自動取引システム１０の構成例を示すブロック図である。本発明の実施例として利用者が自動取引装置に対して現金の引き出しを行う際の利用者認証の方法を取り上げ、その構成および動作について説明する。
【００２３】
自動取引システム１０は、現金自動預払機１２と、利用者認証サーバ１４と、を備える。現金自動預払機１２は、ネットワーク１６を介して利用者認証サーバ１４と接続される。
【００２４】
現金自動預払機１２は、記憶部２０と、撮影部２２と、認証部２４と、表示部２６と、を備える。
【００２５】
記憶部２０は、利用者認証サーバ１４から受信した基準パターン情報４０（詳細については後述）を記憶する。
【００２６】
撮影部２２は、本人認証するためのパスワードを発声する利用者の顔を撮影し、撮影画像として出力する。
【００２７】
認証部２４は、撮影画像から、発声パターン情報５０（詳細については後述）を生成する。認証部２４は、基準パターン情報４０と発声パターン情報５０とを比較し、比較結果に応じて、パスワードを発声した利用者が本人あるか否かを判定する。
【００２８】
表示部２６は、所定情報（たとえば、自動取引サービス初期画面、パスワード発声ガイダンス、本人認証結果等）を表示する。
【００２９】
利用者認証サーバ１４は、記憶部３０と、制御部３２と、を備える。
【００３０】
記憶部３０は、基準パターン情報４０を記憶する。
【００３１】
制御部３２は、現金自動預払機１２からの要求に基づいて、記憶部３０から、挿入されたキャッシュカードに対応する基準パターン４０を読み出し、読み出した基準パターン４０を現金自動預払機１２へ送信する。
【００３２】
図３は、現金自動預払機１２の動作例を説明するためのフローチャートである。
【００３３】
認証部２４は、自動取引サービス初期画面を表示部２６へ表示する（ステップＳ１）。認証部２４は、利用者によるキャッシュカードの挿入の有無を確認する（ステップＳ２）。キャッシュカードの挿入が確認された場合（ステップＳ２においてＹｅｓ判定）、認証部２４は、利用者認証サーバ１４に対して、認証情報（具体的には、挿入されたキャッシュカードに対応する基準パターン情報４０）を要求する（ステップＳ３）。キャッシュカードの挿入が確認されない場合（ステップＳ２においてＮｏ判定）、認証部２４は、ステップＳ２の処理を再度実行する。
【００３４】
認証情報要求を受信した利用者認証サーバ１４の制御部３２は、記憶部３０から、挿入されたキャッシュカードに対応する基準パターン情報４０を読み出し、読み出した基準パターン情報４０を現金自動預払機１２へ送信する。
【００３５】
認証部２４は、利用者認証サーバ１４から基準パターン情報４０を受信する（ステップＳ）。受信された基準パターン情報４０は、記憶部２０へ記憶される。
【００３６】
認証部２４は、利用者に対してパスワードの発声開始を促すためのパスワード発声ガイダンスを表示部２６へ表示する（ステップＳ５）。
【００３７】
利用者は、パスワード発声ガイダンスに従って、パスワードを発声する。撮影部２２は、パスワードを発声している利用者の顔を撮影する（ステップＳ６）。撮影された画像は、撮影画像として出力される。
【００３８】
認証部２４は、撮影画像から、発声パターン情報５０を生成する（ステップＳ７）。認証部２４は、基準パターン情報４０と発声パターン情報５０とを比較する（ステップＳ８）。
【００３９】
ここで、基準パターン情報４０と発声パターン情報５０について説明する。図４は、基準パターン情報４０のデータ構成例を示す図である。図５は、基準唇形状および基準顔位置関係を説明するための図である。以下では、基準となる基準パスワードが２つ“１”と“２”である場合を例に挙げる。
【００４０】
基準パターン情報４０は、各ワード（“１”、“２”）と、各ワードを構成するキャラクタ（“い”、“ち”、“に”）と、キャラクタ毎の基準唇形状と、キャラクタ毎の基準顔位置関係とを含む。
【００４１】
たとえば、図４におけるＳａは、ワード“１”のキャラクタ“い”の場合の唇の形状（図５において領域Ｓａで囲まれる領域の形状）を示している。
【００４２】
また、図４におけるＲａは、ワード“１”のキャラクタ“い”の場合の顔位置関係を示している。この場合、顔位置関係は、たとえば、唇と唇以外の利用者の顔の特定部位（たとえば、右眉毛）との距離（図５における実線Ｒａの距離）である。
【００４３】
図４において、Ｓｂは、キャラクタ“ち”における唇形状であり、Ｓｃは、キャラクタ“に”における唇形状である。また、図４において、Ｒｂは、キャラクタ“ち”における唇と右眉毛の距離であり、Ｒｃは、キャラクタ“に”における唇と右眉毛の距離である。
【００４４】
発声パターン情報５０の構造は、基準パターン情報４０と同一である。ただし、対象となる撮影画像の取得タイミング（すなわち、基準パスワードの登録時および発声パスワード入力時）が異なるので各値が同一であるとは限らない。さらに、発声パターン情報５０は、基準ではなく認証の対象であるので、基準唇形状および基準顔位置関係における“基準”は不要、あるいは“発声”に読み替える。
【００４５】
なお、基準唇形状と発声唇形状との一致判定には、公知のパターンマッチング（イメージマッチング）技術を利用することができる。また、基準顔位置と発声顔位置との比較は、単純な数値比較（距離の比較あるいは面積の比較）によって行うことができる。この場合、差分が実質的に“０”である場合に限り両者が一致していると判断してもよく、あるいは差分が所定の差分範囲内のある場合に両者が一致していると判断してもよい。
【００４６】
なお、特定部位は、眉毛に限定されることはなく、他の部位（たとえば、目、鼻、顎）であってもよい。また、特定部位は、キャラクタ毎に動く量が異なる部位であるとより好適である。また、距離は一つに限定されず、複数であってもよい。
【００４７】
また、顔位置関係は、唇と特定部位との距離に限定されず、たとえば、唇と複数の特定部位とで形成される領域（たとえば、唇と左目と右目とで形成される三角領域）の面積であってもよい。
【００４８】
また、顔位置関係は、唇と特定部位との距離と、唇と複数の特定部位とで形成される領域の面積の両方であってもよい。
【００４９】
図３の説明に戻る。基準パターン情報４０と発声パターン情報５０とが一致した場合（ステップＳ９においてＹｅｓ判定）、認証部２４は、パスワードを発声した利用者が本人であると認証されたと判断し、利用者に対して所定の自動取引サービスを提供する（ステップＳ１０）。一方、基準パターン情報４０と発声パターン情報５０とが一致しなかった場合（ステップＳ９においてＮｏ判定）、認証部２４は、パスワードを発声した利用者が本人ではないと判断し、所定のエラー処理（パスワードの再入力あるいはサービス停止処理）を実行する（ステップＳ１１）。
【００５０】
以上説明した第２の実施形態によれば、本人認証は、唇の動き（唇形状変化）だけでなく、顔の位置関係変化も考慮して判断される。唇の動きは、パスワードが判明している場合、その通りに発声すれば、全くの他人であっても利用者本人と誤認証されてしまう危険性がある。しかしながら、顔の位置関係は生体固有であるため、他人を本人と誤認証する可能性は極めて低い。
【００５１】
さらに、以上説明した第２の実施形態において、認証対象は、使用者の顔画像である。すなわち、撮影部２２を一般的に流通している通常のカメラ（たとえば、監視カメラあるいはデジタルカメラ）とすることができる。従って、指紋や静脈等の状態を検出するためのデバイスのように特殊且つ高価なデバイスは不要である。
【００５２】
以上纏めると、第２の実施形態によれば、簡素な構成でありながら、第三者による不正認証をより確実に防ぐことができる。
【００５３】
なお、上記パスワードは、数字に限定されず、文字や記号であってもよい。また、パスワードは、種類が異なるワードの組み合わせであってもよい。また、パスワードは、使用者の意志で決定されてもよいし、たとえば、利用認証サーバ１４でランダムに生成されるワード群であってもよい。
【００５４】
また、以上説明した第１および第２の実施形態の全部又は一部の機能を実現するためのプログラムをコンピュータ読み取り可能な記録媒体に記録して、この記録媒体に記録されたプログラムをコンピュータシステムに読み込ませ、実行することにより各部の処理を行ってもよい。
【００５５】
「コンピュータシステム」の例としては、例えば、CPU（Central Processing Unit）を挙げることができる。
【００５６】
「コンピュータ読み取り可能な記録媒体」は、例えば、非一時的な記憶装置である。非一時的な記憶装置の例としては、例えば、光磁気ディスク、ROM（Read Only Memory）、不揮発性半導体メモリ等の可搬媒体、コンピュータシステムに内蔵されるハードディスクを挙げることができる。また、「コンピュータ読み取り可能な記録媒体」は、一時的な記憶装置であってもよい。一時的な記憶装置の例としては、例えば、インターネット等のネットワークや電話回線等の通信回線を介してプログラムを送信する場合の通信線、あるいは、コンピュータシステム内部の揮発性メモリを挙げることができる。
【００５７】
また、上記プログラムは、前述した機能の一部を実現するためのものであってもよく、更に前述した機能をコンピュータシステムにすでに記録されているプログラムとの組み合わせで実現できるものであってもよい。
【００５８】
以上、第１および第２の実施形態を用いて本発明を説明したが、本発明の技術的範囲は、上記各実施形態の記載に限定されない。上記各実施形態に多様な変更又は改良を加えることが可能であることは当業者にとって自明である。従って、そのような変更又は改良を加えた形態もまた本発明の技術的範囲に含まれることは説明するまでもない。また、以上説明した第１および第２の実施形態において使用される、数値や各構成の名称等は例示的なものであり適宜変更可能である。
【符号の説明】
【００５９】
１    本人認証装置
２    記憶部
３    撮影部
４    認証部
５    基準パターン情報
６    発声パターン情報
１０    自動取引システム
１２    現金自動預払機
１４    利用者認証サーバ
１６    ネットワーク
２０    記憶部
２２    撮影部
２４    認証部
２６    表示部
３０    記憶部
３２    制御部
４０    基準パターン情報
５０    発声パターン情報
【図１】
2015169977.tif 000003
【図２】
2015169977.tif 000004
【図３】
2015169977.tif 000005
【図４】
2015169977.tif 000006
【図５】
2015169977.tif 000007